(57)【要約】      （修正有）【課題】回路基板に取り付けた際の低背化を図ると共に、金属板製の端子を抵抗体本体に容易に安定して取り付けることができるチップ型電子部品及びその製造方法を提供する。【解決手段】基板の表面に抵抗膜１７を形成してなる抵抗体本体１０と、抵抗体本体１０の対向する一対の外周辺１５ａ，１５ｃに取り付けられる端子３０とを具備する。端子３０は金属板製であって、平面状の上下面３３，３５と、上下面３３，３５の外周部分を連結する側壁部３７と、上下面３３，３５の間に形成されて抵抗体本体１０の外周辺１５ａ，１５ｃを圧入する挿入部３１と、を有する。側壁部３７は、外方向に凸となる形状に湾曲していて、抵抗体本体１０の外周辺１５ａ，１５ｃを圧入する際に弾性を持って変形する。【選択図】図２
2015201571.tif 000002
【特許請求の範囲】
【請求項１】
基板の表面に、導電膜を形成してなる素子本体と、
前記素子本体の対向する一対の外周辺に取り付けられる端子と、
を具備し、
前記端子は金属板製であって、平面状の上下面と、前記上下面の外周部分を連結する側壁部と、前記上下面の間に形成されて前記素子本体の外周辺を圧入する挿入部と、を有し、
さらに前記端子の側壁部は、外方向に凸となる形状に湾曲又は屈曲していて、前記素子本体の外周辺を圧入する際に弾性を持って変形することを特徴とするチップ型電子部品。
【請求項２】
請求項１に記載のチップ型電子部品であって、
前記端子は箱型であり、この端子の上下面の外周四辺の内の三辺の部分は前記側壁部によって連結され、残りの一辺の部分は前記挿入部となっていることを特徴とするチップ型電子部品。
【請求項３】
請求項１に記載のチップ型電子部品であって、
前記基板はセラミック基板であり、
また前記導電膜は酸化金属皮膜又は金属皮膜又は炭素皮膜等からなる抵抗膜であって、前記セラミック基板の一方の面から外周側面を介して他方の面まで形成されており、
さらに、この抵抗膜の前記端子を取り付けた部分以外の一方の面から外周側面を介して他方の面に至るように切り欠いてなる抵抗値調整用溝を設けたことを特徴とするチップ型電子部品。
【請求項４】
請求項１に記載のチップ型電子部品であって、
前記端子の側壁部は、外方向に凸となるようにその横断面が弧状に湾曲し又は多角形状に屈曲していることを特徴とするチップ型電子部品。
【請求項５】
基板の表面に導電膜を設けることで素子本体を形成する素子本体形成工程と、
前記素子本体形成工程とは別に、金属板をプレス加工することによって、平面状の上下面と、前記上下面の外周部分を連結する側壁部と、前記上下面の間に形成されて前記素子本体の外周辺を圧入する挿入部とを設け、且つ前記側壁部を外方向に凸となる形状に湾曲又は屈曲させてなる端子を形成する端子形成工程と、
前記素子本体の外周辺を、前記端子の挿入部に圧入し、その際前記端子の湾曲又は屈曲する側壁部が広がるように弾性変形させることで前記抵抗体本体の上下面を端子によって弾接・挟持する端子取付工程と、
を少なくとも具備することを特徴とするチップ型電子部品の製造方法。
【発明の詳細な説明】
【技術分野】
【０００１】
本発明は、チップ型電子部品及びその製造方法に関するものである。
【背景技術】
【０００２】
従来、例えば特許文献１（特に図３参照）には、円柱状でセラミック製の絶縁棒（５３）の周囲に酸化金属皮膜（５５）を被覆して電子部品本体（５１）を構成し、抵抗値を調整するためにこの酸化金属皮膜（５５）をスパイラル状にカットしてカット溝（５７）を設け、この電子部品本体（５１）の両端に金属キャップ（５９）を取り付け、これら金属キャップ（５９）の外側面中央にそれぞれ金属棒からなるリード端子（６１）の一端を溶接によって固定し、さらに金属キャップ（５９）を含む絶縁棒（５３）全体を絶縁塗料（６３）によって絶縁被覆してなる電子部品（５０）が開示されている。そしてこの電子部品（５０）（特に図５参照）においては、両リード端子（６１）を複数の部分で屈曲することで、これを回路基板（８０）上に面実装出来るように構成している。
【先行技術文献】
【特許文献】
【０００３】
【特許文献１】特開２００７−７６７１３号公報
【発明の概要】
【発明が解決しようとする課題】
【０００４】
しかしながら上記従来例には、以下のような問題点があった。
（１）電子部品本体（５１）は、リード端子（６１）によって回路基板（８０）の上方に支えられるので、回路基板（８０）からの電子部品（５０）の高さ寸法が高くなり、その薄型化が阻害される。
【０００５】
（２）金属キャップ（５９）の他にリード端子（６１）が必要なので、組立作業が煩雑になるばかりか、部品点数が多くなり、製造コストの低廉化が図れない。
【０００６】
（３）金属キャップ（５９）を電子部品本体（５１）に圧入によって取り付けようとした場合、両者間の僅かな寸法誤差によって、金属キャップ（５９）の圧入の際に過大な力が必要になったり、逆に前記圧入の際の力が弱過ぎてがたつきが生じたりし、安定した取り付けが出来なくなる恐れがあった。
【０００７】
一方、平板矩形状のセラミック基板の表面に抵抗膜を形成し、前記セラミック基板の対向する一対の外周辺に端子部をメッキによって形成してなるチップ型抵抗器も考えられている。このようなチップ型抵抗器を用いれば、金属キャップやリード端子が不要になるので部品点数が減少するばかりか、回路基板に面実装した際の高さ寸法を低く（低背化）できる。
【０００８】
しかしながらこの種のチップ型抵抗器の場合、端子部をメッキするためのメッキ設備が必要になるばかりか、メッキ廃液の処理も必要になり、さらにメッキ設備設置のための許認可を地方自治体から受けなくてはならないのでその手続きも煩雑であった。
【０００９】
本発明は上述の点に鑑みてなされたものでありその目的は、回路基板に取り付けた際の低背化が図れると共に、端子部形成設備の簡素化が図れ、さらに金属板製の端子であっても容易に安定した取り付けが行えるチップ型電子部品及びその製造方法を提供することにある。
【課題を解決するための手段】
【００１０】
本発明にかかるチップ型電子部品は、基板の表面に、導電膜を形成してなる素子本体と、前記素子本体の対向する一対の外周辺に取り付けられる端子と、を具備し、前記端子は金属板製であって、平面状の上下面と、前記上下面の外周部分を連結する側壁部と、前記上下面の間に形成されて前記素子本体の外周辺を圧入する挿入部と、を有し、さらに前記端子の側壁部は、外方向に凸となる形状に湾曲又は屈曲していて、前記素子本体の外周辺を圧入する際に弾性を持って変形することを特徴としている。
本発明によれば、端子は金属板製であって、平面状の上下面を有する構造なので、このチップ型電子部品は回路基板上に面実装でき、回路基板からの高さ寸法を低くでき、その薄型化（低背化）を図ることができる。またその構造上、チップ型電子部品の上下を逆にしても回路基板への面実装が可能である。
また、端子の側壁部が外方向に凸となる形状に湾曲又は屈曲しているので、素子本体の外周辺を端子の挿入部に圧入する際にこの側壁部が弾性を持って無理なく変形し、上下に押し広げられ、これによって端子は、挿入部の少なくとも上下の部分で素子本体の上下面を、側壁部の弾性復帰力によって強く挟持する。つまり、素子本体の外周辺を端子の挿入部に圧入する際に、多少の寸法誤差があっても、この寸法誤差は前記側壁部の弾性を持っての変形が吸収し、従って、端子の素子本体への安定した取り付けが行える。
またこのチップ型電子部品においては、素子本体の対向する一対の外周辺に金属板による所定の厚みを有する端子を取り付ける構造なので、このチップ型電子部品を回路基板上に載置した際、素子本体の回路基板側を向く面は回路基板から前記厚み寸法分だけ離間する。このため、例えば前記回路基板の離間している表面に別の回路パターンを通すこともでき、回路基板の設計の自由度が増す。
また、基板の表面に導電膜を形成してなる素子本体と、金属板製の端子によって構成できるので、部品点数が少なく、また端子の挿入部を素子本体の外周辺に圧入するだけで構成できるのでその組立作業が容易で、これらのことから製造コストの低廉化が図れる。
また、端子は素子本体の外周辺に圧入することで取り付けができるので、メッキ設備等の大掛かりな端子部形成設備が不要で製造設備の簡素化が図れ、さらにメッキ廃液の処理や地方自治体への届出も不要になる。
【００１１】
また本発明は、前記端子が箱型であり、この端子の上下面の外周四辺の内の三辺の部分は前記側壁部によって連結され、残りの一辺の部分は前記挿入部となっていることを特徴としている。
端子を箱型に形成したので、素子本体の外周辺全周を囲むように端子がぴったり圧入される。このため端子の取付強度を容易に強くでき、取り付けた端子が素子本体から外れる恐れが無くなる。
また三辺に設けた側壁部を全て外方向に凸となる形状に湾曲又は屈曲すれば、素子本体の外周辺を圧入する際の弾性力を強くでき、且つ無理なく変形し、素子本体の上下面を、側壁部の強い弾性復帰力により強く挟持できる。
また端子の外表面の面積を広くできる。このため、このチップ型電子部品を回路基板上に面実装した際の半田可能な端子表面積を広くでき、半田による取付強度を強固にできる。また端子の外表面からの放熱効果も向上する。
【００１２】
また本発明は、前記基板がセラミック基板であり、また前記導電膜は酸化金属皮膜又は金属皮膜又は炭素皮膜等からなる抵抗膜であって、前記セラミック基板の一方の面から外周側面を介して他方の面まで形成されており、さらに、この抵抗膜の前記端子を取り付けた部分以外の一方の面から外周側面を介して他方の面に至るように切り欠いてなる抵抗値調整用溝を設けたことを特徴としている。
これによって、チップ型電子部品の抵抗値を容易且つ正確に所望の抵抗値とすることができる。
【００１３】
また本発明は、前記端子の側壁部が、外方向に凸となるようにその横断面が弧状に湾曲し又は多角形状に屈曲していることを特徴としている。
これによって、素子本体の外周辺を端子の挿入部に圧入する際に、端子の側壁部は無理なく押し広げられ、弾性を持って無理なく変形し、端子は側壁部の弾性復帰力を強めながら強く素子本体を挟持することができる。
【００１４】
また本発明にかかるチップ型電子部品の製造方法は、基板の表面に導電膜を設けることで素子本体を形成する素子本体形成工程と、前記素子本体形成工程とは別に、金属板をプレス加工することによって、平面状の上下面と、前記上下面の外周部分を連結する側壁部と、前記上下面の間に形成されて前記素子本体の外周辺を圧入する挿入部とを設け、且つ前記側壁部を外方向に凸となる形状に湾曲又は屈曲させてなる端子を形成する端子形成工程と、前記素子本体の外周辺を、前記端子の挿入部に圧入し、その際前記端子の湾曲又は屈曲する側壁部が広がるように弾性変形させることで前記抵抗体本体の上下面を端子によって弾接・挟持する端子取付工程と、を少なくとも具備することを特徴としている。
本発明によれば、上記チップ型電子部品を容易に製造することができる。特に、端子の側壁部が外方向に凸となる形状に湾曲又は屈曲するように端子をプレス加工するので、そのプレス加工の際に、例えば前記側壁部を端子の上下面から垂直に屈曲する形状に成形するような場合に比べ、屈曲する角度を小さくすることができ、よりスムーズに加工することができる。
【発明の効果】
【００１５】
本発明によれば、回路基板に取り付けた際の低背化が図れると共に、端子部形成設備の簡素化が図れる。また金属板製の端子の素子本体への圧入による取り付けを、過大な力を印加したり、逆にがたつきを生じることなく、容易に安定して行うことができる。
【図面の簡単な説明】
【００１６】
【図１】チップ型抵抗器１の斜視図である。
【図２】チップ型抵抗器１の分解斜視図である。
【図３】チップ型抵抗器１の製造方法説明図である。
【図４】図３のＡ−Ａ断面拡大図である。
【図５】チップ型抵抗器１の製造方法説明図である。
【図６】抵抗体本体１０を示す図である。
【図７】端子３０を示す図である。
【図８】チップ型抵抗器１を回路基板５０上へ載置した状態を示す斜視図である。
【図９】端子３０の一作成方法を示す要部概略断面図である。
【図１０】参考例に係る端子３０´の要部拡大断面図（図４と同一部分の断面）である。
【図１１】端子３０−２の要部拡大断面図（図４と同一部分の断面）である。
【図１２】端子３０−３の要部拡大断面図（図４と同一部分の断面）である。
【図１３】端子３０−４の斜視図である。
【発明を実施するための形態】
【００１７】
以下、本発明の実施形態を図面を参照して詳細に説明する。図１は本発明の一実施形態に係るチップ型電子部品（以下「チップ型抵抗器」という）１の斜視図、図２はチップ型抵抗器１の分解斜視図（但し、最後に被覆する絶縁膜４０は記載していない）である。両図に示すようにチップ型抵抗器１は、素子本体（以下「抵抗体本体」という）１０の対向する一対の外周辺１５ａ，１５ｃに、金属板製の端子３０，３０の挿入部３１，３１を圧入することで構成されている。なお以下の説明において、「下」とはチップ型抵抗器１を下記する回路基板５０上に載置する側の面をいい、「上」とはその反対方向をいうものとする。
【００１８】
図６は抵抗体本体１０を示す図であり、図６（ａ）は平面図、図６（ｂ）は正面図、図６（ｃ）は右側面図である。同図及び図２に示すように抵抗体本体１０は、略矩形平板状のセラミック基板の上面（一方の面）１１から外周辺（外周側面）１５ａ，１５ｂ，１５ｃ，１５ｄを介して下面（他方の面）１３まで（この例の場合は全面に）、酸化金属皮膜又は金属皮膜又は炭素皮膜等からなる抵抗膜１７を形成して構成されている（抵抗体本体形成工程）。セラミック基板の材質としてはアルミナが用いられているが、他の材質のセラミックを用いても良い。また酸化金属皮膜としては例えば酸化スズにアンチモンを添加したもの等を用い、金属皮膜としては例えばニッケル、リンを用い、炭素皮膜としては炭素（カーボン）を用いる。抵抗膜１７の形成には熱分解やめっきを用い、その厚みは、例えば数μから数１０μ程度としている。またこの抵抗体本体１０の外周辺１５ａ，１５ｂ，１５ｃ，１５ｄは何れも、その横断面（図４に示す断面）が外方に向けて凸となるように弧状（円弧状）に湾曲する形状となっている。
【００１９】
図７は端子３０を示す図であり、図７（ａ）は正面図、図７（ｂ）は図７（ａ）のＢ−Ｂ断面図、図７（ｃ）は図７（ａ）のＣ−Ｃ断面図である。同図及び図２に示すように端子３０は金属板（例えば鉄に銅メッキとスズメッキを行ったもの）を長尺な箱型に形成して構成されており、平面状の上下面３３，３５と、前記上下面３３，３５の外周の三辺部分を連結する側壁部３７とを有し、これによって前記上下面３３，３５の外周の残りの一辺部分に挿入部３１を形成して構成されている。端子３０の製造は、金属板をプレス金型によって絞り加工（プレス加工）することで行われる（端子形成工程）。
【００２０】
挿入部３１の寸法形状は、前記抵抗体本体１０の外周の長い側の辺１５ａ，１５ｃを略ぴったり挿入できる寸法形状に形成されている。さらに言えば、挿入部３１の高さ方向の幅寸法は、図４に点線で示すように、抵抗体本体１０の厚み寸法よりも若干薄い寸法に形成されている。また３つの側壁部３７は何れも、その横断面（図４に示す断面）が外方に向けて凸となるように弧状（円弧状）に湾曲する形状となっている。
【００２１】
図９は金属板７０から端子３０を作成する方法の一例を示す要部概略断面図である。同図に示すように端子３０を作成するには、平板状の金属板７０の上下に第１，第２金型７３，７５を配置し、これら第１，第２金型７３，７５を金属板７０に押し付けることによって、第１金型７３に設けた凹部７７と、第２金型７５に設けた凸部７９によって金属板３０をプレス加工し、端子３０を形成する。このとき、端子３０の側壁部３７が外方向に凸となる形状に湾曲するように金属板７０をプレス加工するので、そのプレス加工の際に、側壁部３７の各部に無理な力が集中せず、無理なくスムーズに加工することができ、好適である。これに比べて、例えば図１０に示すように、前記側壁部３７´を端子３０´の上下面から垂直に屈曲する形状にプレス加工するような場合は、屈曲部分が９０°に折れ曲がりこの屈曲部分に力が集中し、無理のないスムーズな加工が阻害される恐れがある。
【００２２】
そして図１に示すチップ型抵抗器１を製造するには、まず図２に示す抵抗体本体１０の長手方向に沿う一対の外周辺１５ａ，１５ｃを、それぞれ一対の端子３０，３０の挿入部３１，３１に圧入して、図３に示す状態にする（端子取付工程）。挿入部３１は前述のようにその厚み方向の幅が抵抗体本体１０の厚みよりも若干小さく形成されているので、図４の点線で示す状態から実線で示す状態まで上下に押し広げられ、これによって端子３０は、挿入部３１の少なくとも上下の部分で抵抗体本体１０の上下面を強く挟持する。このとき端子３０の側壁部３７は弧状に湾曲しているので、抵抗体本体１０の外周辺１５ａ，１５ｃを圧入する際にこの側壁部３７の部分は応力が１点に集中することなく、弾性復帰力を高めながら無理なく変形し、上下に押し広げられる。これによって端子３０は、挿入部３１の少なくとも上下の部分で抵抗体本体１０の上下面を、側壁部３７の強い弾性復帰力によって強く挟持する。また、抵抗体本体１０の外周辺１５ａ，１５ｃを端子３０の挿入部３１に圧入する際に、多少の寸法誤差があっても、この寸法誤差は前記側壁部３７の弾性を持っての変形が吸収し、従って、端子３０の抵抗体本体１０への安定した取り付けが行える。端子３０は箱型に形成されているので、抵抗体本体１０の外周辺１５ａ（１５ｃ）全周を囲むように略密着してぴったり圧入される。これによっても端子３０の取付強度を容易に強くでき、取り付けた端子３０が抵抗体本体１０から外れる恐れがさらに無くなる。
【００２３】
またこの端子３０のように、三辺に設けた側壁部３７を全て外方向に凸となる形状に湾曲すれば、抵抗体本体１０の外周辺１５ａ，１５ｃを圧入する際の弾性力を強くでき、且つ無理なく変形し、抵抗体本体１０の上下面を、側壁部３７の強い弾性復帰力により強く挟持できる。  
【００２４】
次に、両端子３０，３０間の抵抗値を測定しながら、図５に示すように、抵抗膜１７の端子３０を取り付けた部分以外の上面１１から外周辺１５ｄを介して下面１３に至るように直線状に切り欠いて抵抗値調整用溝１９を形成していくことで、測定している抵抗値を所望の抵抗値に調整する（溝形成工程）。つまり、形成する抵抗値調整用溝１９の長さは、それぞれの抵抗体本体１０によって異なる。
【００２５】
抵抗値調整用溝１９を形成するには、図示しないカッターの刃を抵抗膜１７の端子３０を取り付けた部分以外の表面に当て、この抵抗膜１７の一方の面１１から外周辺１５ｄを介して他方の面１３に至るようにカッター６０の刃６１を相対的に移動させて線状に切欠いていくことによって行う。実際には、カッターを固定し、抵抗体本体１０を移動していく方がカットを容易に行える。この抵抗値調整用溝１９を形成することで、チップ型抵抗器１の抵抗値を容易且つ正確に所望の抵抗値とすることができる。抵抗値調整用溝１９を形成する方法として他にレーザによる方法等もある。但し、抵抗値調整用溝１９の形成にカッターを用いた場合は、レーザなどを用いてカットする場合に比べて、製造設備を安価に構成できる。
【００２６】
次に図１に示すように、前記抵抗体本体１０の端子３０，３０を取り付けた部分以外の抵抗膜１７表面の全体に、端子３０，３０の厚みよりも薄い絶縁膜４０を塗布する。これによって、チップ型抵抗器１が完成する。
【００２７】
以上のようにして構成されたチップ型抵抗器１は、例えば図８に示す回路基板５０上に面実装される。即ち、回路基板５０上には一対の端子接続パターン５１，５１が所定の間隔で形成されており、例えば予め半田層（図示せず）を被覆したこれら端子接続パターン５１，５１上に、それぞれチップ型抵抗器１の端子３０，３０の下面を載置・当接する。このとき端子３０，３０の厚みよりも薄い絶縁膜４０を塗布しているので、絶縁膜４０によって端子３０，３０の回路基板５０への当接が阻害されることはない。そして半田層をリフローすれば、各端子３０，３０と端子接続パターン５１，５１とが半田接続される。
【００２８】
ところで端子３０は箱型に形成されているので側壁部３７は挿入部３１を除く三辺部分に形成され、これによって端子３０の外表面の面積は広くなっている。同時にこのチップ型抵抗器１においては、抵抗体本体１０の長手方向に沿う対向する一対の外周辺１５ａ，１５ｃに端子３０，３０を取り付けているので、端子３０の長さを長くでき、この点からも端子３０の外表面の面積は広くなっている。これらのことから、上述のようにチップ型抵抗器１を回路基板５０上に面実装した際の半田付け可能な端子３０の表面積は広く、その分、半田による取付強度を強固にできる。また端子３０の外表面からの放熱効果も向上する。
【００２９】
端子３０は金属板製であって、平面状の上下面３３，３５を有する構造なので、このチップ型抵抗器１は回路基板５０上に面実装でき、回路基板５０からの高さ寸法を低くでき、その薄型化（低背化）を図ることができる。またその構造上、チップ型抵抗器１の上下を逆にしても回路基板５０への面実装が可能であり、その分、面実装工程の簡略化が図れる。
【００３０】
またこのチップ型抵抗器１においては、平板矩形状の抵抗体本体１０の外周辺１５ａ，１５ｃに金属板による所定の厚みを有する端子３０，３０を取り付ける構造なので、このチップ型抵抗器１を回路基板５０上に載置した際、抵抗体本体１０の回路基板５０側を向く面は回路基板５０から前記厚み寸法分だけ離間する。このため、前記回路基板５０の離間している表面（端子接続パターン５１，５１の間）に別の回路パターン（図示せず）を通すこともでき、回路基板５０の設計の自由度を増すことができる。
【００３１】
またこのチップ型抵抗器１は、基板の表面に抵抗膜１７を形成してなる抵抗体本体１０と、金属板製の端子３０，３０とによって構成できるので、部品点数が少なく、また端子３０，３０の挿入部３１，３１に抵抗体本体１０の外周辺１５ａ，１５ｃを圧入するだけで構成できるのでその組立作業が容易で、これらのことから製造コストの低廉化が図れる。
【００３２】
また、端子３０，３０は抵抗体本体１０の外周辺１５ａ，１５ｃに圧入するだけで取り付けることができるので、メッキ設備等の大掛かりな端子部形成設備が不要で製造設備の簡素化が図れ、さらにメッキ廃液の処理や地方自治体への届出も不要になる。
【００３３】
図１１，図１２，図１３は、それぞれ本発明の他の実施形態に係る端子３０−２，３０−３，３０−４を示す図であり、図１１は端子３０−２の要部拡大断面図（図４と同一部分の断面）、図１２は端子３０−３の要部拡大断面図（図４と同一部分の断面）、図１３は端子３０−４の斜視図である。
【００３４】
即ち、端子の側壁部は、図１１に示す側壁部３７−２のように４か所で折り曲げたり、図１２に示す側壁部３７−３のように３か所で折り曲げたりしても良い。要は側壁部は、外方向に凸となるように、３か所以上の位置で屈曲する形状としても良い。その際、上下対象となる位置で屈曲するのが良い。このように側壁部を屈曲させても、抵抗体本体の外周辺を圧入する際に弾性を持って変形することができる。
【００３５】
また本発明に用いる端子は、上記箱型の端子３０に限らず、図１３に示す端子３０−４のように、平板をＵ字状に折り曲げてなる形状のもの等を用いても良い。この場合の側壁部３７−４の形状は、図示する弧状に限らず、前記図１１、図１２に示す多角形状としても良い。
【００３６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記例では、抵抗体本体１０の長手方向に沿う対向する一対の外周辺１５ａ，１５ｃに端子３０，３０を取り付けたが、短手方向に沿う対向する一対の外周辺１５ｂ，１５ｄに端子を取り付けても良い。また端子３０の取り付け強度、及び電気的接続の信頼性を上げるため、端子３０を抵抗体本体１０に圧入した後に、挿入部３１に対応する上下面３３，３５を更に押し潰しても良い。
【００３７】
また抵抗膜１７は、セラミック基板の一方の面のみに形成しても良い。また場合によっては、端子３０をプレス加工以外の方法によって形成しても良い。また基板として、セラミック基板以外の材質（例えば硬質樹脂板や金属板等）からなるものを用いても良い。また導電膜として、抵抗膜以外のものを用いても良い。また導電膜は、印刷等の他の方法を用いて形成しても良い。またチップ型電子部品はヒューズ抵抗器等であっても良い。
【符号の説明】
【００３８】
１  チップ型抵抗器（チップ型電子部品）
１０  抵抗体本体（素子本体）
１１  上面（一方の面）
１３  下面（他方の面）
１５（１５ａ，１５ｂ，１５ｃ，１５ｄ）  外周辺
１７  抵抗膜（導電膜）
１９  抵抗値調整用溝
３０，３０−２，３０−３，３０−４  端子
３１  挿入部
３３  上面
３５  下面
３７，３７−２，３７−３，３７−４  側壁部
４０  絶縁膜
５０  回路基板
５１  端子接続パターン
７０  金属板
７３  第１金型
７５  第２金型
【図１】
2015201571.tif 000003
【図２】
2015201571.tif 000004
【図３】
2015201571.tif 000005
【図４】
2015201571.tif 000006
【図５】
2015201571.tif 000007
【図６】
2015201571.tif 000008
【図７】
2015201571.tif 000009
【図８】
2015201571.tif 000010
【図９】
2015201571.tif 000011
【図１０】
2015201571.tif 000012
【図１１】
2015201571.tif 000013
【図１２】
2015201571.tif 000014
【図１３】
2015201571.tif 000015